(57)【特許請求の範囲】
【請求項１】
医療画像処理部を有するビデオプロセッサに対しては少なくとも別体に構成される共に、所定の医療画像を表示する表示部が配設された筐体を有するモニタ装置であって、
医療画像を表示する前記表示部と、
前記表示部を備える前記モニタ装置の筐体に配設された、前記ビデオプロセッサから出力される医療画像信号を含む所定の医療画像信号を入力可能とする複数の医用画像信号入力部と、
前記モニタ装置の筐体内に配設された、前記医用画像信号入力部に入力した前記医療画像信号に対して所定の信号処理を施し前記表示部に表示するための映像信号を生成する信号処理部と、
前記モニタ装置の筐体内に配設された、前記信号処理部において生成された前記表示部に表示するための前記映像信号に対して所定の第１の色設定値を反映させる処理を行う第１の色設定部と、
前記モニタ装置の筐体内に配設された、前記信号処理部において生成された前記表示部に表示するための前記映像信号に対して、少なくとも、前記第１の色設定部における前記第１の色設定値と同じ色設定値である第２の色設定値を反映させる処理を行う第２の色設定部と、
前記モニタ装置の筐体に配設された、少なくとも１つ以上の外部機器が接続される映像信号出力部であって、前記第２の色設定部から出力される映像信号を出力可能とする映像信号出力部と、
前記モニタ装置の筐体内に配設された、前記映像信号出力部に接続される前記外部機器の種別に係る機器情報を検知する外部機器情報検知部と、
を備え、
前記第２の色設定部は、前記信号処理部において生成された前記表示部に表示するための前記映像信号に対して、前記第１の色設定部における前記第１の色設定値と同じ色設定値である第２の色設定値を反映させて前記映像信号出力部に出力せしめる第１のモード処理と、前記信号処理部において生成された前記表示部に表示するための前記映像信号に対して何等の色設定処理を反映させずに前記映像信号出力部に出力せしめる第２のモード処理と、前記外部機器情報検知部による検知結果に基づいて、前記映像信号出力部に接続される前記外部機器が前記第１の色設定値とは異なる色設定機能を有する場合は、前記信号処理部において生成された前記表示部に表示するための前記映像信号に対して、前記第２の色設定値に加えて当該外部機器が有する色設定値情報に応じて設定された第３の色設定値を反映させて前記映像信号出力部から出力せしめる第３のモード処理と、を実行可能とする
ことを特徴とするモニタ装置。
【請求項２】
前記第２の色設定部は、前記第３のモード処理を実行する際は、
前記映像信号出力部に接続される前記外部機器の種別に応じて設定される前記色設定値情報を有する色設定値情報テーブルを備え、
前記色設定値情報テーブルにおける前記色設定値情報に基づき、前記第３の色設定値を設定する
ことを特徴とする請求項１に記載のモニタ装置。
【請求項３】
前記外部機器情報検知部は、当該モニタ装置と前記外部機器との通信を行う通信手段を有し、前記通信手段による通信により前記外部機器の種別に係る機器情報を検知する
ことを特徴とする請求項１に記載のモニタ装置。
【請求項４】
前記第１の色設定部および前記第２の色設定部に接続され、前記第１の色設定部における前記第１の色設定値に係る処理および前記第２の色設定部における前記第２の色設定値に係る処理を行わせる操作部をさらに備えた
ことを特徴とする請求項１に記載のモニタ装置。
【発明の詳細な説明】
【技術分野】
【０００１】
本発明はモニタ装置、特に、表示部を備えると共に画像処理機能を有するモニタ装置に関する。
【背景技術】
【０００２】
近年、内視鏡を用いて手技を行う内視鏡手術システム等の医療システムが広く普及し、用いられる医療機器も多岐に及んでいる。【０００３】
たとえば、日本国特開２０１２−０２００１１号公報において示すように、手術室に配置される医療システムとして、内視鏡が接続された内視鏡用カメラ装置、光源装置及び画像記録装置等の各種医療機器等を搭載すると共に、内視鏡画像等を表示する、例えばＴＶモニタ等の表示装置を載置したカート並びに患者ベッドを備えた内視鏡手術システムが知られている。【０００４】
また、近年、上述した内視鏡手術システムにおける表示装置に、内視鏡画像信号の他、いわゆる医療用モダリティと称される医療画像撮影装置等からの映像信号を入力し、内視鏡画像と共にこれら医療用モダリティからの映像信号を表示する装置が知られている。【０００５】
なお、上記医療用モダリティとしては、たとえばＭＲＩ，ＣＴおよび超音波内視鏡等が挙げられるが、その他に、たとえば生体情報を出力する患者モニター装置、Ｘ線透視装置等も含まれる。【０００６】
さらに、これらＭＲＩ，ＣＴ等のモダリティから映像信号は、いわゆるPACS(Picture Archiving and Communication System)と称される画像保存通信システム端末から供給されるシステムも提案されている。【０００７】
一方、上記内視鏡手術システムにおける表示装置として、近年、表示する画像の色設定値等を内部の画像処理部により変更可能とするモニタが提案されている。【０００８】
この種のモニタは、画像の色設定値の変更の他、解像度の変更または画面表示モードの変更（たとえば、１画面表示モードと２画面表示モードとの変更）等の処理を外部の画像処理装置に拠らず、内部の画像処理部により可能とするものである。【０００９】
ところで、上述したように、表示画像の色設定値の変更等の各種設定を内部の画像処理部により可能とするモニタにおいて、従来は、色設定値の変更等は当該モニタに表示する画面のみに反映されるようになっていた。【００１０】
そして、近年、このモニタ上の内部画像処理部において各種設定の変更が施された表示画像を、そのままの状態（言うなれば、「見たまま」の状態）で他の装置に記録する、あるいは、他のモニタに表示することが嘱望されるに至っている。【００１１】
一方で、上記「見たまま」の状態で他のモニタ（以下、受け手側のモニタと記す）に表示する場合を想定すると以下に示すような不具合を生じる虞がある。【００１２】
すなわち、受け手側のモニタとして、たとえばパーソナルコンピュータにおけるモニタを想定するに、当該受け手側のモニタにおいても所定の各種設定値の変更が可能である場合が多い。【００１３】
このとき、出力側のモニタ（内部画像処理部において各種設定の変更が施された画像を表示するモニタ）からの「見たまま」の状態の画像に対して、受け手側モニタにおける各種設定の影響が二重に働き、場合によっては「見たまま」の状態の画像に対して大きく色ずれを起こす等の不具合が生じる虞がある。【００１４】
すなわち、当該モニタが上記「見たまま」の状態の画像を出力可能である場合、接続先の他の装置が記録装置である場合には所望の結果が得られても、接続先が他のモニタである場合には、不都合を生じる虞があった。【００１５】
本発明は、上記事情に鑑みてなされたものであり、所定の画像処理機能を有すると共に、当該画像処理を施した信号を他の装置に対して出力可能とするモニタ装置において、当該画像処理を施した信号の出力先に応じて、出力信号に反映する設定値を的確に切り替え可能とするモニタ装置を提供することを目的とする。
【発明の開示】
【課題を解決するための手段】
【００１７】
本発明の一態様のモニタ装置は、医療画像処理部を有するビデオプロセッサに対しては少なくとも別体に構成される共に、所定の医療画像を表示する表示部が配設された筐体を有するモニタ装置であって、医療画像を表示する前記表示部と、前記表示部を備える前記モニタ装置の筐体に配設された、前記ビデオプロセッサから出力される医療画像信号を含む所定の医療画像信号を入力可能とする複数の医用画像信号入力部と、前記モニタ装置の筐体内に配設された、前記医用画像信号入力部に入力した前記医療画像信号に対して所定の信号処理を施し前記表示部に表示するための映像信号を生成する信号処理部と、前記モニタ装置の筐体内に配設された、前記信号処理部において生成された前記表示部に表示するための前記映像信号に対して所定の第１の色設定値を反映させる処理を行う第１の色設定部と、前記モニタ装置の筐体内に配設された、前記信号処理部において生成された前記表示部に表示するための前記映像信号に対して、少なくとも、前記第１の色設定部における前記第１の色設定値と同じ色設定値である第２の色設定値を反映させる処理を行う第２の色設定部と、前記モニタ装置の筐体に配設された、少なくとも１つ以上の外部機器が接続される映像信号出力部であって、前記第２の色設定部から出力される映像信号を出力可能とする映像信号出力部と、前記モニタ装置の筐体内に配設された、前記映像信号出力部に接続される前記外部機器の種別に係る機器情報を検知する外部機器情報検知部と、を備え、前記第２の色設定部は、前記信号処理部において生成された前記表示部に表示するための前記映像信号に対して、前記第１の色設定部における前記第１の色設定値と同じ色設定値である第２の色設定値を反映させて前記映像信号出力部に出力せしめる第１のモード処理と、前記信号処理部において生成された前記表示部に表示するための前記映像信号に対して何等の色設定処理を反映させずに前記映像信号出力部に出力せしめる第２のモード処理と、前記外部機器情報検知部による検知結果に基づいて、前記映像信号出力部に接続される前記外部機器が前記第１の色設定値とは異なる色設定機能を有する場合は、前記信号処理部において生成された前記表示部に表示するための前記映像信号に対して、前記第２の色設定値に加えて当該外部機器が有する色設定値情報に応じて設定された第３の色設定値を反映させて前記映像信号出力部から出力せしめる第３のモード処理と、を実行可能とする。
【図面の簡単な説明】
【００１９】
【図１】本発明の第１実施形態の内視鏡手術システムの全体構成を示す図である。
【図２】本発明の第１実施形態の内視鏡手術システムにおけるモニタ装置の電気的な内部構成を示したブロック図である。
【図３】本発明の第１実施形態の内視鏡手術システムにおけるモニタ装置の映像信号出力モード切替作用を示したフローチャートである。
【図４】本発明の第１実施形態の内視鏡手術システムにおけるモニタ装置から「見たまま」信号を出力した際の様子を示した説明図である。
【図５】本発明の第１実施形態の内視鏡手術システムにおけるモニタ装置の元の映像信号を出力した際の様子を示した説明図である。
【図６】本発明の第１実施形態の内視鏡手術システムにおけるモニタ装置が映像信号出力先の種別を検出する際の様子を示した説明図である。
【図７】本発明の第２実施形態の内視鏡手術システムの全体構成を示す図である。
【図８】本発明の第２実施形態の内視鏡手術システムにおけるモニタ装置の電気的な内部構成を示したブロック図である。
【図９】本発明の第２実施形態の内視鏡手術システムにおけるモニタ装置においてエンハンスモードを設定した際の作用を示したフローチャートである。
【発明を実施するための最良の形態】
【００２０】
以下、図面を参照して本発明の実施形態について説明する。【００２１】
（第１実施形態）
図１は本発明の第１実施形態の内視鏡手術システムの全体構成を示す図である。【００２２】
図１に示すように、本発明の第１の実施形態の内視鏡手術システム１は、例えば手術室に配置される医療システムであり、後述する各種医療機器等を搭載するカート１０を備えると共に患者ベッド２３を備えて構成される。【００２３】
前記カート１０には、被制御装置である医療機器として、例えばビデオプロセッサ１１、光源装置１２及び記録装置１３等の装置類が搭載されている。また、前記ビデオプロセッサ１１および光源装置１２は、ユニバーサルコードを介して内視鏡２１に接続される。【００２４】
また、前記カート１０には、内視鏡画像等を表示する、例えば液晶ディスプレイ等により構成されるモニタ装置１４が載置されている。【００２５】
前記モニタ装置１４は、前記ビデオプロセッサ１１に接続され、当該ビデオプロセッサ１１から出力される内視鏡画像を表示する。また、モニタ装置１４には、複数の医療用モダリティが接続されるようになっている。【００２６】
上述した医療用モダリティとしては、例えば、Ｘ線またはＭＲＩ等の透視画像出力装置３１、超音波内視鏡３２、患者の生体情報を出力する患者モニター装置３３、いわゆるＰＡＣＳ(Picture Archiving and Communication System：画像保存通信システム）の端末装置３４が該当し、本実施形態においても、モニタ装置１４の各映像入力部にはこれら各種医療用モダリティからの画像信号（または情報信号）が入力されるようになっている。【００２７】
図２は、第１実施形態の内視鏡手術システムにおけるモニタ装置の電気的な内部構成を示したブロック図である。【００２８】
図２に示すように、モニタ装置１４は、上述した各種医療用モダリティからの画像信号（または情報信号）を入力する複数の映像入力部（第１映像入力部４１、第２映像入力部４２、第の映像入力部４３、第４映像入力部４４・・・第ｎ映像入力部４５）を備えると共に、液晶パネル等により構成された表示パネル５３、および、前記複数の映像入力部に入力された各画像信号に対して所定の信号処理を施し、前記表示パネル５３に表示するための映像信号を生成する信号処理部４０を備える。【００２９】
また、モニタ装置１４は、操作者の操作により表示モード等を切り替える表示モード切替手段５８を備える。この表示モード切替手段５８は前記信号処理部４０に接続され、当該表示モード切替手段５８の操作により、前記複数の映像入力部（第１映像入力部４１、第２映像入力部４２、第の映像入力部４３、第４映像入力部４４・・・第ｎ映像入力部４５）の切り替え、または、表示パターンの切り替え（たとえば、１画面表示と２画面表示（または複数画面表示）との切り替え操作）ができるようになっている。【００３０】
そして信号処理部４０は、表示モード切替手段５８の切り替え操作に応じて、前記複数の映像入力部４１・・・４５のうち何れかの映像入力部に入力された画像信号、または複数の映像入力部に入力された画像信号に対して所定の信号処理または合成処理等を施し、前記表示パネル５３に表示するための映像信号を生成する。【００３１】
さらにモニタ装置１４は、信号処理部４０によって所定の信号処理が施された上記映像信号に対して所定の色調整（色設定）を行い、この色設定の情報を表示パネル５３に表示する画像に反映させるための第１色設定反映手段５１を備える。【００３２】
また、モニタ装置１４は、操作者の操作により前記第１色設定反映手段５１における色調整行うための色設定操作手段５７を備える。第１色設定反映手段５１は、この色設定操作手段５７の操作に応じて、信号処理部４０によって所定の信号処理が施された上記映像信号に対して所定の色調整（色設定）を行う。【００３３】
一方、本実施形態のモニタ装置１４は、信号処理部４０から前記表示パネル５３に対して出力される映像とまったく同じ映像を出力する出力端子５４（以下、見たまま出力端子５４と記す）を備える。【００３４】
さらに、モニタ装置１４は、前記第１色設定反映手段５１と同様の機能を有する、すなわち前記信号処理部４０によって所定の信号処理が施された上記映像信号に対して所定の色調整（色設定）を行い、この色設定の情報を反映させた出力信号を前記見たまま出力端子５４に出力するための第２色設定反映手段５２を備える。【００３５】
また、前記色設定操作手段５７は前記第２色設定反映手段５２にも接続され、すなわち、第２色設定反映手段５２は、前記第１色設定反映手段５１と同様に、当該色設定操作手段５７の操作に応じて、信号処理部４０によって所定の信号処理が施された上記映像信号に対して所定の色調整（色設定）を行うようになっている。【００３６】
このように、本実施形態においては、信号処理部４０において所定の信号処理が施された映像信号は、表示パネル５３と見たまま出力端子５４との両方に対して同じ信号が出力されるようになっている。【００３７】
また、色設定操作手段５７の操作により、第１色設定反映手段５１と第２色設定反映手段５２とは同様な色調整（色設定）を行うため、「表示パネル５３」と「見たまま出力端子５４」との両方に対して出力される映像信号には、同じ色調整（色設定）が施されるようになっている。【００３８】
したがって本実施形態の内視鏡手術システムにおけるモニタ装置１４においては、前記色設定操作手段５７を操作して所定の色調整（色設定）を行う場合、前記表示パネル５３に表示される色設定が施された画像と同じ画像に係る映像信号を、前記見たまま出力端子５４から外部の記録装置、または外部モニタ装置等の周辺装置に対して出力することができる。【００３９】
さらに本実施形態の内視鏡手術システムにおいては、上述した表示モード切替手段５８の操作により、複数の画像を表示パネル５３の１つの画面に表示する複数表示モードの場合であっても、または、複数の前記医療用モダリティに係る画像を切り替えて表示する場合であっても、モニタ装置１４内の信号処理手段(信号処理部４０)により映像の合成／切替が行われた映像信号が、「表示パネル５３」と「見たまま出力端子５４」との両方に対して同じ映像信号として出力されるので、映像出力ケーブルをつなぎかえることなく、記録装置、または外部モニタ装置等の周辺装置に出力する映像信号を容易に切り替えることができる。【００４０】
ここで、前記「表示パネル５３」に表示される映像信号に対して反映される色設定と「同じ色設定」を反映させた映像信号を前記「見たまま出力端子５４」から出力する際の問題点について説明する。【００４１】
上述したように、本発明による、前記「表示パネル５３」に表示される映像信号に対して反映される色設定と「同じ色設定」を反映させた映像信号を前記「見たまま出力端子５４」から出力する技術思想は、上述したように多大な効果を奏するものの、以下に示す課題を新たに包含する。【００４２】
図４は、第１実施形態の内視鏡手術システムにおけるモニタ装置から「見たまま」信号を出力した際の様子を示した説明図であり、図５は、第１実施形態の内視鏡手術システムにおけるモニタ装置の元の映像信号（各モダリティからの映像信号）を出力した際の様子を示した説明図である。【００４３】
図４に示す状況においては、モニタ装置１４において、まず、ビデオプロセッサ１１からの内視鏡画像と、超音波内視鏡３２からの超音波画像とを合成して２画面表示とし、さらに、第１色設定反映手段５１および第２色設定反映手段５２において「同じ色設定」を施している。そして、表示パネル５３に表示される映像信号と「同じ色設定」を反映させた映像信号を見たまま出力端子５４から出力するものとする。【００４４】
このとき、見たまま出力端子５４に接続された記録装置１３には、表示パネル５３に表示される映像信号と「同じ色設定」を反映させた映像信号をそのまま記録することが可能となり有益であるが、同じ映像信号を、他の外部モニタ（２ｎｄモニタ）１５に表示する場合は以下に示す不具合を生じる虞がある。【００４５】
すなわち、外部モニタ（２ｎｄモニタ）として、たとえばパーソナルコンピュータにおけるモニタを想定するに、当該外部モニタにおいても所定の各種設定値の変更が可能である場合が多い。【００４６】
このとき、モニタ装置１４の見たまま出力端子５４から出力される映像信号に対して、各種設定の影響が二重に働き、場合によっては「見たまま」の状態の画像に対して大きく色ずれを起こす等の不具合が生じる虞がある。【００４７】
一方、図５に示すように、見たまま出力端子５４から、第１色設定反映手段５１および第２色設定反映手段５２における色設定を反映させない映像信号、すなわち元の映像信号を出力すれば、上述の如き外部モニタに対しては不都合が生じないが、この映像信号は、当然ながら「見たまま」の状態の画像ではないため、記録装置１３への画像記録を考慮すると所期の目的を達成することはできない虞がある。【００４８】
本出願人は、上述した状況に鑑み、前記「見たまま出力端子５４」から出力される映像信号の状態を、接続される出力先に応じて切り替えるものとし、以下に示す解決手段を提供するものである。【００４９】
上述したように、本実施形態の内視鏡手術システムにおけるモニタ装置１４は、第２色設定反映手段５２の作用により、前記「表示パネル５３」に表示される映像信号に対して反映される色設定と「同じ色設定」を反映させた映像信号を前記「見たまま出力端子５４」から出力せしめることを可能とするが、本実施形態の第２色設定反映手段５２は、前記「見たまま出力端子５４」を介して、別種の映像信号を出力することを可能とする。【００５０】
すなわち、第２色設定反映手段５２は、「表示パネル５３」に表示される映像信号に対して反映される色設定と「同じ色設定」を反映させた映像信号を「見たまま出力端子５４」から出力せしめる第１出力モード（色出力モード）と、上記色設定を反映させない状態の映像信号を「見たまま出力端子５４」から出力せしめる第２出力モード（スルーモード）と、出力先がたとえば外部のパーソナルコンピュータのモニタ等であって、当該外部モニタでの再生に適した映像信号を再現するために、前記「表示パネル５３」に表示される映像信号に対して反映される色設定に対してさらに所定の色調整を施した映像信号を「見たまま出力端子５４」から出力せしめる第３出力モード（ＰＣモード）の３つのモードでの映像信号出力を可能とする。【００５１】
また、第２色設定反映手段５２は、特に、上記第３出力モード（ＰＣモード）の際に用いる、所定の接続先の機器に応じて設定される色の設定値情報を記憶したテーブルを備え、当該第３出力モード（ＰＣモード）が設定された際には、当該設定値情報を記憶したテーブルに基づき、「見たまま出力端子５４」から出力する映像信号の色設定値を変更するようになっている。【００５２】
そして、本実施形態のモニタ装置１４は、映像信号の出力先である外部周辺機器と所定の通信を行う通信手段５６を備える。【００５３】
この通信手段５６は、たとえば、ＲＳ２３２Ｃによる通信またはディスプレイの機体／仕様情報が記憶されているＥＤＩＤ（Extended Display Identification Data）による通信により接続先のデバイスを検知する機能を有し、その検知結果情報を第２色設定反映手段５２に伝達するようになっている。【００５４】
第２色設定反映手段５２は、前記通信手段５６からの情報に基づいて、前記「見たまま出力端子５４」から出力する映像信号の上記各モードを選択する。【００５５】
図３は、第１実施形態の内視鏡手術システムにおけるモニタ装置の映像信号出力モード切替作用を示したフローチャートである。また、図６は、第１実施形態の内視鏡手術システムにおけるモニタ装置が映像信号出力先の種別を検出する際の様子を示した説明図である。【００５６】
図３、図６に示すように、モニタ装置１４における前記通信手段５６はまず外部周辺機器１６と接続した後に、当該外部周辺機器１６のＥＤＩＤを取得するか、または、所定の通信により当該外部周辺機器１６の機器情報を入手して機器の種別を検知し、その検知結果情報を第２色設定反映手段５２に伝達する（ステップＳ１，ステップＳ２）。【００５７】
この後第２色設定反映手段５２は、通信手段５６からの情報に基づいて、外部周辺機器１６が、たとえば記録装置１３であれば、「表示パネル５３」に表示される映像信号に対して反映される色設定と「同じ色設定」を反映させた映像信号を「見たまま出力端子５４」から出力せしめる第１出力モード（色出力モード）に設定する（ステップＳ３）。【００５８】
一方、外部周辺機器１６が、各種設定値の変更が可能である外部モニタ等であれば、第２色設定反映手段５２は、上記色設定を反映させない状態の映像信号を「見たまま出力端子５４」から出力せしめる第２出力モード（スルーモード）に設定する（ステップＳ４）。【００５９】
さらに、外部周辺機器１６が、たとえば外部のパーソナルコンピュータのモニタ等であって、当該外部モニタでの再生に適した映像信号を再現するための情報を上記記憶テーブルとして取得している場合は、第２色設定反映手段５２は、前記「表示パネル５３」に表示される映像信号に対して反映される色設定に対して、当該設定値情報を記憶したテーブルに基づきさらに所定の色調整を施した映像信号を「見たまま出力端子５４」から出力せしめる第３出力モード（ＰＣモード）に設定する（ステップＳ５）。【００６０】
なお、上述した説明では、通信手段５６により見たまま出力端子５４の接続先の外部周辺機器の情報を自動的に検知したが、本実施形態のモニタ装置１４は、操作者の手動により色設定を切り替えるための色出力設定切替手段５５を備え、この色出力設定切替手段５５の操作に応じて、上記３つの出力モードを切り替えるようにしてもよい。【００６１】
以上説明したように、本実施形態の内視鏡手術システムにおけるモニタ装置１４によると、表示パネル５３に表示される色設定が施された画像と同じ画像に係る映像信号を、見たまま出力端子５４から外部の記録装置、または外部モニタ装置等の周辺装置に対して出力することができる。【００６２】
さらに本実施形態の内視鏡手術システムにおけるモニタ装置１４によると、複数の画像を表示パネル５３の１つの画面に表示する複数表示モードの場合であっても、または、複数の前記医療用モダリティに係る画像を切り替えて表示する場合であっても、モニタ装置１４内の信号処理手段(信号処理部４０)により映像の合成／切替が行われた映像信号が、「表示パネル５３」と「見たまま出力端子５４」との両方に対して同じ映像信号として出力されるので、映像出力ケーブルをつなぎかえることなく、記録装置、または外部モニタ装置等の周辺装置に出力する映像信号を容易に切り替えることができる。【００６３】
さらに、本実施形態の内視鏡手術システムにおけるモニタ装置１４によると、表示パネル５３に表示される色設定が施された画像と同じ画像に係る映像信号を出力する見たまま出力端子５４に接続される外部周辺機器の機器情報に応じて、出力する映像信号に反映する色情報値の設定値を変更することができ、外部周辺機器の種別に応じた映像信号を的確に出力することができる。【００６４】
次に本発明の第２の実施形態について説明する。【００６５】
近年、内視鏡手術システムにおける表示装置として、ＳＤフォーマットなどの低解像映像を表示する際に、解像感を強調して表示するエンハンス処理技術（たとえば超解像技術等の処理技術）を搭載したモニタが知られるに至っている。【００６６】
このエンハンス処理技術は、表示する画面全体の色またはパターンを識別してその強さを制御し、画面全体にエンハンス処理を施すものである。【００６７】
一方で、上述した内視鏡手術システムにおける表示装置に、内視鏡画像信号の他、いわゆる医療用モダリティと称される医療画像撮影装置等からの映像信号を入力し、内視鏡画像と共にこれら医療用モダリティからの映像信号を表示する装置が知られている。【００６８】
そして、この種の表示装置においては、２画面機能等を用いて色または表示内容の異なる複数の医療用モダリティ（たとえば、内視鏡、超音波内視鏡、Ｘ線透視装置等）を１つの画面に表示することができるようになっている。【００６９】
ところが、表示装置における１つの画面に複数の医療用モダリティに係る画像を表示する状態において上述したエンハンス処理を行うと、本来エンハンス処理を施すべきでない画像に対してもエンハンス強調がなされてしまうという不都合があった。【００７０】
たとえば、内視鏡画像を親画面として、超音波画像または透視画像を子画面として表示する場合、本来であればエンハンス処理を施すべきでないこれら子画面に対してもエンハンス処理がなされてしまう虞がある。【００７１】
本願出願人は係る事情に鑑み、表示画面の状況に応じてエンハンス処理を施す範囲（領域）を設定することができる医療表示装置を提供するものである。【００７２】
図７は、本発明の第２実施形態の内視鏡手術システムの全体構成を示す図である。【００７３】
図７に示すように、本発明の第２の実施形態における内視鏡手術システム１０１は、第１の実施形態における内視鏡手術システム１とほぼ同様の構成をなすが、モニタ装置１１４の構成を異にするものである。その他の構成は第１の実施形態と同様であるので、ここでの詳細な説明については省略する。【００７４】
本第２の実施形態におけるモニタ装置１１４は、第１の実施形態と同様に、前記ビデオプロセッサ１１に接続され、当該ビデオプロセッサ１１から出力される内視鏡画像を表示する。また、モニタ装置１１４には、複数の医療用モダリティが接続されるようになっている。【００７５】
上述した医療用モダリティとしては、第１の実施形態と同様に、例えば、Ｘ線またはＭＲＩ等の透視画像出力装置３１、超音波内視鏡３２、患者の生体情報を出力する患者モニター装置３３、いわゆるＰＡＣＳ(Picture Archiving and Communication System：画像保存通信システム）の端末装置３４が該当し、本実施形態においても、モニタ装置１１４の各映像入力部にはこれら各種医療用モダリティからの画像信号（または情報信号）が入力されるようになっている。【００７６】
図８は、第２実施形態の内視鏡手術システムにおけるモニタ装置１１４の電気的な内部構成を示したブロック図である。【００７７】
図８に示すように、モニタ装置１１４は、上述した各種医療用モダリティからの画像信号（または情報信号）を入力する複数の映像入力部（第１映像入力部１４１、第２映像入力部１４２、第の映像入力部１４３、第４映像入力部１４４・・・第ｎ映像入力部１４５）を備えると共に、液晶パネル等により構成された表示パネル１５３、および、前記複数の映像入力部に入力された各画像信号に対して所定の信号処理を施し、前記表示パネル５３に表示するための映像信号を生成する信号処理部１４０を備える。【００７８】
また、モニタ装置１１４は、操作者の操作により表示モード等を切り替える表示モード切替手段１５８を備えると共に、信号処理部１４０において生成された映像信号に対して表示モードを切り替えて設定する表示モード設定手段１６１を備える。【００７９】
前記表示モード設定手段１６１は、前記表示モード切替手段１５８の操作に応じて、前記複数の映像入力部（第１映像入力部１４１、第２映像入力部１４２、第の映像入力部１４３、第４映像入力部１４４・・・第ｎ映像入力部１４５）の切り替え、または、表示パターンの切り替え（たとえば、１画面表示状態と２画面表示状態（または複数画面表示状態）との切り替え操作）を行うようになっている。【００８０】
さらにモニタ装置１１４は、表示モード設定手段１６１の表示モードおよび信号処理部１４０による映像信号の状態（表示パネル１５３に表示する映像信号におけるＯＳＤ表示の有無）に応じてエンハンスモード範囲を決定するエンハンスモード範囲決定手段１６３を備えると共に、当該エンハンスモード範囲決定手段１６３において決定した範囲に対して所定のエンハンス処理を行うエンハンスモード設定手段１６２を備える。【００８１】
前記エンハンスモード範囲決定手段１６３は、エンハンス処理が不要な領域（たとえば、２画面表示中の子画面およびＯＳＤメニュー等）に対してエンハンス処理が施されてしまうことのないよう、表示モード設定手段１６１における現在の表示モードの状態（１画面表示状態または２画面を含む複数画面表示状態）および信号処理部１４０におけるＯＳＤ表示の有無を確認し、その結果に応じてエンハンス処理を施す範囲（領域）を決定しエンハンスモード設定手段１６２にその範囲（領域）を伝えるようになっている。【００８２】
また、エンハンスモード設定手段１６２には、エンハンスモードを切替設定するためのエンハンスモード切替手段１６４が接続され、エンハンスモード設定手段１６２は、エンハンスモード切替手段１６４の切替操作に応じて、エンハンスモードを設定するようになっている。【００８３】
なお、本実施形態のモニタ装置１１４は、図示しない所定のエンハンス処理操作によりエンハンスモード設定手段１６２がエンハンスモード範囲決定手段１６３において決定した範囲に対してエンハンス処理を施すようになっている。【００８４】
図９は、第２実施形態の内視鏡手術システムにおけるモニタ装置においてエンハンスモードを設定した際の作用を示したフローチャートである。【００８５】
図９に示すように、ユーザーがエンハンスモード切替手段を操作し、エンハンスモードが設定された後（ステップＳ１０１）、所定のエンハンス処理操作により（ステップＳ１０２）、エンハンスモード範囲決定手段１６３が表示モード設定手段１６１における現在の表示モードおよび信号処理部１４０におけるＯＳＤ表示の有無を確認する（ステップＳ１０３）。【００８６】
この後エンハンスモード範囲決定手段１６３は、ステップＳ１０３における確認結果に応じてエンハンス処理範囲を決定し、その範囲（領域）をエンハンスモード設定手段１６２に伝える（ステップＳ１０４）。【００８７】
そしてエンハンスモード設定手段１６２は、指定されたエンハンス処理範囲のみに対してエンハンス処理を施し（ステップＳ１０５）、表示パネル１５３に対して当該エンハンス処理を施した映像信号を送出する（ステップＳ１０６）。【００８８】
以上説明したように、本第２の本実施形態によると、表示画面の状況、すなわち、現在の表示モードの状態（１画面表示状態または２画面を含む複数画面表示状態）およびＯＳＤ表示の有無に応じて、表示パネルの画面上において、エンハンス処理を施す範囲（領域）を設定することができ、たとえば、内視鏡画像に対してエンハンス処理を行ったとしても、同一画面上に表示されている子画面表示領域またはＯＳＤ表示領域に対しては、エンハンス処理が施されないので、見やすい画面表示を提供することができる。【００８９】
なお、本発明は、上述した実施形態に限定されるものではなく、本発明の要旨を変えない範囲において、種々の変更、改変等が可能であることは勿論である。【００９０】
本出願は、２０１３年７月５日に日本国に出願された特願２０１３−１４２０９３号を優先権主張の基礎として出願するものであり、上記の開示内容は、本願明細書、請求の範囲に引用されるものとする。
【図１】
0005851647.tif 000002
【図２】
0005851647.tif 000003
【図３】
0005851647.tif 000004
【図４】
0005851647.tif 000005
【図５】
0005851647.tif 000006
【図６】
0005851647.tif 000007
【図７】
0005851647.tif 000008
【図８】
0005851647.tif 000009
【図９】
0005851647.tif 000010